【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
不揮発性メモリ（ＮＶＭ）デバイスであって、
データを格納するためのＮＶＭアレイと、
コントローラから制御された電力遮断コマンドを受信するための、前記ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、を含み、
前記情報は前記制御された電力遮断コマンドが受信された後前記コントローラによって読まれるようになっており、かつ前記ＮＶＭデバイスが前記バックグラウンド動作を実施していると判断される場合に、供給電力の損失より前に前記制御された電力遮断コマンドに応答して前記バックグラウンド動作を安全に一時停止するようになっており、
前記ＮＶＭデバイスは前記供給電力が再供給された後前記停止されたバックグランド動作を完了するように構成されているデバイス。
【請求項２】
前記バックグラウンド動作は、前記供給電力の損失に先立って、安全に自動的に一時停止されることを特徴とする、請求項１に記載の集積回路デバイス。
【請求項３】
不揮発性メモリ（ＮＶＭ）デバイスであって、
データを格納するためのＮＶＭアレイと、
コントローラから制御された電力遮断コマンドを受信するための、前記ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、を含み、
前記情報は前記制御された電力遮断コマンドが受信された後前記コントローラによって読まれるようになっており、
かつ前記ＮＶＭデバイスが前記バックグラウンド動作を実施していると判断される場合に、供給電力の損失より前に前記制御された電力遮断コマンドに応答して前記バックグラウンド動作を安全に一時停止するようになっており、
前記ＮＶＭデバイスは前記供給電力が再供給された後前記停止されたバックグランド動作を完了するように構成されており、
前記コマンド・インターフェースは、前記制御された電力遮断コマンドに応答して、状況レジスタを通してメモリ肯定応答を前記コントローラに送ることを特徴とするデバイス。
【請求項４】
前記バックグラウンド動作は、メモリアレイのリフレッシュ又はウェアレベリング・アルゴリズムをさらに含むことを特徴とする、請求項１に記載の集積回路デバイス。
【請求項５】
前記状況レジスタ・ユニットは、前記ＮＶＭデバイスが前記バックグラウンド動作を安全に一時停止又は完了したかどうかを示す情報を格納するように構成されたことを特徴とする請求項１に記載の集積回路デバイス。
【請求項６】
前記状況レジスタ・ユニットは、前記供給電力の復旧時に前記一時停止されたバックグランド動作を再開する際に前記ＮＶＭデバイスによって用いられる情報を格納するように構成されたことを特徴とする、請求項１に記載の集積回路デバイス。
【請求項７】
データ処理デバイスであって、
１つ又はそれ以上のプロセッサコアを有する処理ユニットと、
不揮発性メモリ（ＮＶＭ）デバイスを有する、前記処理ユニットに結合されたシステムメモリとを含み、前記不揮発性メモリ（ＮＶＭ）デバイスは、
データを格納するためのＮＶＭアレイと、
前記処理ユニットから制御された電力遮断コマンドを受信するための、ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、
を含み、
前記情報は前記制御された電力遮断コマンドが受信された後前記コントローラによって読まれるようになっており、かつ前記ＮＶＭデバイスが前記バックグラウンド動作を実施していると判断される場合に、供給電力の損失より前に前記制御された電力遮断コマンドに応答して前記バックグラウンド動作を安全に一時停止するようになっており、
前記ＮＶＭデバイスは前記供給電力が再供給された後前記停止されたバックグランド動作を完了するように構成されていることを特徴とするデータ処理デバイス。
【請求項８】
前記バックグランド動作が安全に完了された又は一時停止された後に前記ＮＶＭデバイスから前記供給電力を除去するための、前記処理ユニットに結合された電力管理ユニットをさらに含むことを特徴とする、請求項７に記載のデータ処理デバイス。
【請求項９】
データ処理デバイスであって、
１つ又はそれ以上のプロセッサコアを有する処理ユニットと、
不揮発性メモリ（ＮＶＭ）デバイスを有する、前記処理ユニットに結合されたシステムメモリとを含み、
前記不揮発性メモリ（ＮＶＭ）デバイスは、
データを格納するためのＮＶＭアレイと、
前記処理ユニットから制御された電力遮断コマンドを受信するための、ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、
を含み、
前記ＮＶＭデバイスが前記バックグラウンド動作を実施していると判断される場合に、供給電力の損失より前に前記制御された電力遮断コマンドに応答して前記バックグラウンド動作を安全に一時停止するようになっており、
前記ＮＶＭデバイスは前記供給電力が再供給された後前記停止されたバックグランド動作を完了するように構成されており、
前記コマンド・インターフェースは、前記制御された電力遮断コマンドに応答して、状況レジスタを通してメモリ肯定応答を前記処理ユニットに送るように構成されているデータ処理デバイス。
【請求項１０】
前記データ処理デバイスは、
無線信号を受信するための、前記処理ユニットに結合された送受信機をさらに含む無線通信デバイスであることを特徴とする、請求項７に記載のデータ処理デバイス。
【請求項１１】
コントローラを用いて、制御された電力遮断コマンドをメモリデバイスに出力し、
前記メモリデバイスの状況レジスタ・ユニットを読み取り、
前記メモリデバイスがバックグランド動作を実行しているかどうかを示す情報を格納する、前記メモリデバイスの状況レジスタ・ユニットの読み取りに基づいて、前記メモリデバイスがバックグランド動作を実行しているかどうかを判断し、
前記メモリデバイスが前記バックグラウンド動作を実施していると判断される場合に、前記制御された電力遮断コマンドに応答して前記バックグラウンド動作を安全に一時停止し、
安全に電力供給を除去し、
その後前記メモリデバイスに前記供給電力を再供給し、そして、
前記メモリデバイスへの供給電力の再供給の後停止されたバックグランド動作を完了するステップを含むことを特徴とする、方法。
【請求項１２】
制御された電力遮断コマンドを発生する予想された制御された電力損失イベントを検出するステップをさらに含むことを特徴とする、請求項１１に記載の方法。
【請求項１３】
前記制御された電力遮断コマンドに応答して前記メモリデバイスから前記コントローラにおけるメモリ肯定応答を受信するステップ、又は、前記バックグランド動作を安全に一時停止する前又は該バックグランド動作を完了する前に一定の時間待つステップをさらに含むことを特徴とする、請求項１１に記載の方法。
【請求項１４】
前記メモリデバイスが前記バックグランド動作を実行していない場合、前記供給電力が安全に除去されることを特徴とする、請求項１１に記載の方法。
【請求項１５】
前記メモリデバイスは、前記メモリデバイスの前記状況レジスタ・ユニットを読み取るまで、前記バックグランド動作を認識する前記ホストコントローラなしで、前記バックグラウンドタスクを実施するように構成されている、請求項１１に記載の方法。